(57)【要約】【課題】画像形成装置において、簡素かつ安価な構成でありながらも、無線通信モジュールを構成する回路の破壊を防止可能とする。【解決手段】電源アダプタ６が装着される第１凹部８１と無線通信モジュール５が装着される第２凹部８２の間に、電源アダプタ６の装着に伴い回動される回動部材９１を設ける。回動部材９１には、第２凹部８２に突出可能なロックボス９１ｄが形成される。電源アダプタ６が装着されると回動部材９１が回動され、ロックボス９１ｄが第２凹部８２の内部空間に突出し、無線通信モジュール５の装着を制限する。これにより、無線通信モジュール５を構成する回路に想定外の電量が流れるおそれがなくなり、回路の破壊を防止することができる。【選択図】図６
2008213232.tif 000002
【特許請求の範囲】
【請求項１】
装填された記録紙を保持する給紙トレイと、この給紙トレイに保持されている記録紙を搬送する記録紙搬送機構と、この記録紙搬送機構によって搬送された記録紙に画像を形成する画像形成手段と、外部の機器と無線通信を行うことにより、前記画像形成手段が形成する画像のデータを受信する無線通信モジュールと、前記記録紙搬送機構、画像形成手段及び無線通信モジュールに電力を供給する電源アダプタと、上記各部を収容する筐体とを備え、前記無線通信モジュール及び電源アダプタが筐体に対して着脱可能に構成されている画像形成装置において、
前記筐体は、その側面に前記電源アダプタが装着される第１凹部及び前記無線通信モジュールが装着される第２凹部を有し、
前記第１凹部と第２凹部の間には、前記無線通信モジュールの着脱を制限する着脱制限機構が配設され、
前記着脱制限機構は、前記筐体に回動自在に支持された回動部材と、この回動部材を前記第１凹部の側に付勢するコイルばねとを有し、
前記回動部材は、前記筐体に支持される回動軸と、前記第1凹部に装着された前記電源アダプタの側面と当接する第１側面と、前記回動軸を挟んで該第１側面とは反対側に形成され、前記コイルばねが当接される第２側面と、この第２側面において前記コイルばねとの当接部分を挟んで前記回転軸とは反対側に形成され、該回動部材の回動に伴って前記第２凹部に出没するロックボスとを有し、
前記無線通信モジュールの前記電源アダプタ側の側面には、前記回動部材のロックボスが勘合される勘合穴が形成され、
前記電源アダプタが第１凹部に装着されている状態では、前記回動部材の前記第１側面が該電源アダプタの側面と当接され、これに伴い該回動部材が前記コイルばねの付勢力に抗して前記第２凹部の側に回動され、前記回動部材のロックボスが前記第２凹部に突出し、前記無線通信モジュールの着脱を防止することを特徴とする画像形成装置。
【請求項２】
外部の機器と無線通信を行う無線通信モジュールと、この無線通信モジュールに電力を供給する電源アダプタと、前記無線通信モジュール及び電源アダプタを収容する筐体とを備え、前記無線通信モジュール及び電源アダプタが筐体に対して着脱可能に構成されている電子機器において、
前記筐体は、その側面に前記電源アダプタが装着される第１凹部及び前記無線通信モジュールが装着される第２凹部を有し、
前記第１凹部への前記電源アダプタの装着に伴い、該電源アダプタ又は前記筐体の一部が前記第２凹部に突出して、前記第２凹部への前記無線通信モジュールの装着を制限することを特徴とする電子機器。
【請求項３】
前記第１凹部と第２凹部の間には、前記無線通信モジュールの着脱を制限する着脱制限機構が配設され、
前記着脱制限機構は、前記筐体に回動自在に支持される回動部材と、この回動部材を前記第１凹部の側に付勢する付勢手段とを有し、
前記無線通信モジュールには、前記回動部材の一部が勘合される勘合部が形成されていることを特徴とする請求項２に記載の電子機器。
【発明の詳細な説明】
【技術分野】
【０００１】
本発明は、記録紙に画像を形成する画像形成装置及び電子機器のうち、特に無線通信モジュールを備えたものに関するものである。
【背景技術】
【０００２】
従来から電子機器の電源アダプタ及びその取付け構造については、種々の技術が提案されている。例えば、特許文献１には、ロック解除の動作に伴ってスイッチを動作させることによりパッケージに対する電源の出力を遮断するデータ処理装置が示されている。また、特許文献２には、プロテクタ板及びその駆動部を組み込むことにより、機器が外部電源に接続されているときは着脱ユニットの取り外しができないようにした着脱ユニットの装着機構が示されている。また、特許文献３には、カムを用いて印刷中におけるＡＣアダプタのコンタクト部の挿抜を禁止するように構成された画像形成装置が示されている。また、特許文献４には、筐体に複数の冗長化電源ユニットの稼働中の交換を可能にしたコンピュータシステムが示されている。また、特許文献５には、ラック内に複数の電源ユニットを簡単な着脱操作で確実に装着できるようにしたラックマウント型の電子機器が示されている。また、特許文献６には電源コードの疲労断線事故を防止するための電源コード結合機構が示されている。
【０００３】
【特許文献１】特開平５−２０４５０６号公報
【特許文献２】特開平７−２９５６８４号公報
【特許文献３】特開２００２−５９６１３号公報
【特許文献４】特許第３７２５６８１号公報
【特許文献５】特開２００５−１９７５３６号公報
【特許文献６】特開２０００−２４６９８８号公報
【発明の開示】
【発明が解決しようとする課題】
【０００４】
ところで、近年の画像形成装置においては、無線通信機能を備えたものが普及しつつある。一般に、電子機器の無線通信や電源に関する規格は各仕向地毎に異なっている。そこで、複数の仕向地に販売される画像形成装置においては、各仕向地に応じた無線通信モジュール及び電源アダプタを装着できるように、無線通信モジュール及び電源アダプタが画像形成装置の本体に対して着脱可能に構成されている。また、このような画像形成装置においては、無線通信モジュールをオプション扱いとし、ユーザが必要に応じて無線通信モジュールを買い足して後付けできるものも存在する。
【０００５】
上述した画像形成装置において、装置の電源が起動中に無線通信モジュールが装着された場合、モジュール内の回路に想定外の電流が流れ、回路が破壊されるおそれがある。そこで、電気回路に精通していないユーザが無線通信モジュールを装着する場合であっても正しい手順で無線通信モジュールを装着できるように、画像形成装置の電源が起動している状態では無線通信モジュールを装置の本体に着脱できないような機構を設けるのが望ましい。上記特許文献に示された技術を画像形成装置に応用し、画像形成装置の電源が起動している状態では無線通信モジュールを装置の本体に着脱できないように構成することも可能なように思われる。しかしながら、上記特許文献１に示された技術を画像形成装置に適用した場合においては、スイッチ等の部品が必要となり、装置のコストアップを招来する。また、上記特許文献２に示された技術においても、プロテクタ板及びその駆動部が必要となるため、やはり装置のコストアップを招来する。
【０００６】
本発明は、上記課題を解決するためになされたものであり、簡素かつ安価な構成でありながらも、電源アダプタが装置本体に装着されている状態で無線通信モジュールを装置の本体に着脱できないようにして、無線通信モジュールを構成する回路の破壊を防止することができる画像形成装置を提供することを目的とする。
【課題を解決するための手段】
【０００７】
上記目的を達成するために請求項１の発明は、装填された記録紙を保持する給紙トレイと、この給紙トレイに保持されている記録紙を搬送する記録紙搬送機構と、この記録紙搬送機構によって搬送された記録紙に画像を形成する画像形成手段と、外部の機器と無線通信を行うことにより、前記画像形成手段が形成する画像のデータを受信する無線通信モジュールと、前記記録紙搬送機構、画像形成手段及び無線通信モジュールに電力を供給する電源アダプタと、上記各部を収容する筐体とを備え、前記無線通信モジュール及び電源アダプタが筐体に対して着脱可能に構成されている画像形成装置において、
前記筐体は、その側面に前記電源アダプタが装着される第１凹部及び前記無線通信モジュールが装着される第２凹部を有し、
前記第１凹部と第２凹部の間には、前記無線通信モジュールの着脱を制限する着脱制限機構が配設され、
前記着脱制限機構は、前記筐体に回動自在に支持された回動部材と、この回動部材を前記第１凹部の側に付勢するコイルばねとを有し、
前記回動部材は、前記筐体に支持される回動軸と、前記第1凹部に装着された前記電源アダプタの側面と当接する第１側面と、前記回動軸を挟んで該第１側面とは反対側に形成され、前記コイルばねが当接される第２側面と、この第２側面において前記コイルばねとの当接部分を挟んで前記回転軸とは反対側に形成され、該回動部材の回動に伴って前記第２凹部に出没するロックボスとを有し、
前記無線通信モジュールの前記電源アダプタ側の側面には、前記回動部材のロックボスが勘合される勘合穴が形成され、
前記電源アダプタが第１凹部に装着されている状態では、前記回動部材の前記第１側面が該電源アダプタの側面と当接され、これに伴い該回動部材が前記コイルばねの付勢力に抗して前記第２凹部の側に回動され、前記回動部材のロックボスが前記第２凹部に突出し、前記無線通信モジュールの着脱を防止するものである。
【０００８】
請求項２の発明は、
外部の機器と無線通信を行う無線通信モジュールと、この無線通信モジュールに電力を供給する電源アダプタと、前記無線通信モジュール及び電源アダプタを収容する筐体とを備え、前記無線通信モジュール及び電源アダプタが筐体に対して着脱可能に構成されている電子機器において、
前記筐体は、その側面に前記電源アダプタが装着される第１凹部及び前記無線通信モジュールが装着される第２凹部を有し、
前記第１凹部への前記電源アダプタの装着に伴い、該電源アダプタ又は前記筐体の一部が前記第２凹部に突出して、前記第２凹部への前記無線通信モジュールの装着を制限するものである。
【０００９】
請求項３の発明は、請求項２に記載の電子機器において、
前記第１凹部と第２凹部の間には、前記無線通信モジュールの着脱を制限する着脱制限機構が配設され、
前記着脱制限機構は、前記筐体に回動自在に支持される回動部材と、この回動部材を前記第１凹部の側に付勢する付勢手段とを有し、
前記無線通信モジュールには、前記回動部材の一部が勘合される勘合部が形成されているものである。
【発明の効果】
【００１０】
請求項１の発明によれば、電源アダプタが第１凹部に装着されている状態では、回動部材の第１側面が電源アダプタの側面と当接され、これに伴い回動部材がコイルばねの付勢力に抗して第２凹部の側に回動し、回動部材のロックボスが第２凹部に突出する。このとき、無線通信モジュールが既に第２凹部に装着されている場合には、回動部材のロックボスと無線通信モジュールの勘合穴との勘合により、無線通信モジュールの引き抜きを防止することができる。一方、無線通信モジュールが未だ第２凹部に装着されていない場合、すなわち電源アダプタの装着後に無線通信モジュールを装着しようとした場合には、第２凹部に突出したロックボスが無線通信モジュールの先端と当接し無線通信モジュールの装着を阻止する。これにより、電源が起動している状態、すなわち電源アダプタが装着されている状態での無線通信モジュールの着脱を確実に防止することができ、無線通信モジュールを構成する回路の破壊を防止することができる。また、着脱制限機構が回動部材及びコイルばねといった簡素かつ安価な構成によって構成されているので、画像形成装置のコストアップを伴うことなく、上記効果を享受することができる。また、安価な汎用の電源アダプタを用いつつ上述した無線通信モジュールの着脱を制限できるので、画像形成装置のコストダウンを図ることができる。
【００１１】
請求項２の発明によれば、電源アダプタが第１凹部に装着されている状態では、電源アダプタ又は筐体の一部が第２凹部に突出して、第２凹部への無線通信モジュールの装着を制限する。これにより、電源が起動している状態、すなわち電源アダプタが装着されている状態での無線通信モジュールの着脱を確実に防止することができ、無線通信モジュールを構成する回路の破壊を防止することができる。
【００１２】
請求項３の発明によれば、着脱制限機構が回動部材及び付勢手段といった簡素かつ安価な構成によって構成されているので、電子機器のコストアップを伴うことなく、上記効果を享受することができる。また、安価な汎用の電源アダプタを用いつつ上述した無線通信モジュールの着脱を制限できるので、電子機器のコストダウンを図ることができる。
【発明を実施するための最良の形態】
【００１３】
本発明に係る電子機器の一実施形態による画像形成装置について図面を参照して説明する。図１は画像形成装置の概略構成を示している。画像形成装置１は、装填された記録紙を保持する給紙トレイ２と、給紙トレイ２に保持されている記録紙を搬送する記録紙搬送機構３と、記録紙搬送機構３によって搬送された記録紙に画像を形成する画像形成部（画像形成手段）４と、ＰＣ等の外部機器１００と無線通信を行うことにより、画像形成部４が形成する画像等のデータを受信する無線通信モジュール５と、記録紙搬送機構３、画像形成部４及び無線通信モジュール５に電力を供給する電源アダプタ６と、記録紙搬送機構３、画像形成部４、無線通信モジュール５及び電源アダプタ６の制御を司る制御部７と、上記各部を収容する筐体８等を備えている。記録紙搬送機構３は、例えば、複数のローラによって構成されている。画像形成部４としては、インクジェット方式やレーザビーム方式のプリントエンジン等が適用されている。
【００１４】
図２は、画像形成装置１の背面側を示している。無線通信モジュール５及び電源アダプタ６は、画像形成装置１の筐体８に対して着脱可能に構成されている。無線通信モジュール５は、各仕向地毎に種々のの規格（例えば、ＩＥＥＥ８０２．１１ｇ）に準拠した仕様が準備されている。無線通信モジュール５の先端部には、画像形成装置１の内部回路と接続するためのコネクタ５１が、後端部には無線信号を受信するためのアンテナ５２が設けられている。筐体８の背面側の側面には、電源アダプタ６が装着される第１凹部８１及び無線通信モジュール５が装着される第２凹部８２が互いに平行に形成されている。また、第１凹部８１と第２凹部８２の間には、回動部材９１を収容するための収容部８３が形成されている。
【００１５】
図３は、筐体８に装着された状態の電源アダプタ６、無線通信モジュール５及びその周辺の構成を示している。第１凹部８１と第２凹部８２の間には、無線通信モジュール５の着脱を制限する着脱制限機構９が設けられている。着脱制限機構９は、筐体８に回動自在に支持される回動部材９１と、回動部材９１を第１凹部８１の側に付勢するコイルばね９２とを有している。回動部材９１の回動軸９１ａは、電源アダプタ６及び無線通信モジュール５の装着方向に略垂直に配向されている。
【００１６】
回動部材９１は、第1凹部８１に装着された電源アダプタ６の側面と当接する第１側面９１ｂと、回動軸９１ａを挟んで第１側面９１ｂとは反対側に形成された第２側面９１ｃと、第２凹部８２に出没するロックボス９１ｄとを有している。回動部材９１の第２側面９１ｃにはコイルばね９２が当接される。ロックボス９１ｄは、第２側面９１ｃにおいてコイルばね９２との当接部分を挟んで回転軸９１ａとは反対側に形成されている。一方、無線通信モジュール５の電源アダプタ６側の側面には、回動部材９１のロックボス９１ｄが勘合される勘合穴５３が形成されている。
【００１７】
図４及び図５は、筐体８に無線通信モジュール５及び電源アダプタ６を装着する手順を示している。図４に示すように無線通信モジュール５及び電源アダプタ６が未だ装着されていない状態では、回動部材９１はコイルばね９２によって第１凹部８１の側に押圧されており、回動部材９１のロックボス９１ｄは収容部８３に収容されている。従って、第２凹部８２の内部空間には無線通信モジュール５の装着を妨げるものが存在しないので、図５に示すように無線通信モジュール５を第２凹部８２の奥まで差し込むことができる。この後、第１凹部８１に電源アダプタ６を装着すれば、図３に示すように、無線通信モジュール５の勘合穴５３と回動部材９１のロックボス９１ｄとが勘合されてロックされた状態となり、第１凹部８１から電源アダプタ６を引き出さない限り無線通信モジュール５を第２凹部８２から抜くことができない。
【００１８】
図６は、筐体８に電源アダプタ６を装着した後、無線通信モジュール５を装着しようとしている状態を示している。先に電源アダプタ６を装着した場合には、回動部材９１の第１側面９１ｂが電源アダプタ６に当接されて回動部材９１が矢印Ｘ方向に回動されることにより、ロックボス９１ｄが第２凹部８２の内部空間に突出される。その結果、無線通信モジュール５を第２凹部８２に挿入しても、無線通信モジュール５の先端がロックボス９１ｄに当接するため、無線通信モジュール５を第２凹部８２の奥まで差し込むことができない。
【００１９】
以上のように、本実施形態の画像形成装置１によれば、電源アダプタ６が第１凹部８１に装着されている状態では、回動部材９１の第１側面９１ｂが電源アダプタ６の側面と当接され、これに伴い回動部材９１がコイルばね９２の付勢力に抗して第２凹部８２の側に回動し、回動部材９１のロックボス９１ｄが第２凹部８２に突出する。このとき、無線通信モジュール５が既に第２凹部８２に装着されている場合には、回動部材９１のロックボス９１ｄと無線通信モジュール５の勘合穴５３との勘合により、無線通信モジュール５の引き抜きを防止することができる。一方、無線通信モジュール５が未だ第２凹部８２に装着されていない場合、すなわち電源アダプタ６の装着後に無線通信モジュール５を装着しようとした場合には、第２凹部８２に突出したロックボス９１ｄが無線通信モジュール５の先端と当接し無線通信モジュール５の装着を阻止する。これにより、電源が起動している状態、すなわち電源アダプタ６が装着されている状態での無線通信モジュール５の着脱を確実に防止することができ、無線通信モジュール５を構成する回路の破壊を防止することができる。また、着脱制限機構９が回動部材９１及びコイルばね９２といった簡素かつ安価な構成によって構成されているので、画像形成装置のコストアップを伴うことなく、上記効果を享受することができる。また、安価な汎用の電源アダプタ６を用いつつ上述した無線通信モジュール５の着脱を制限できるので、画像形成装置のコストダウンを図ることができる。
【００２０】
なお、本発明は上記実施形態の構成に限られることなく、少なくとも第１凹部８１への電源アダプタ６の装着に伴い、電源アダプタ６又は筐体８の一部が第２凹部８２に突出して、第２凹部８２への無線通信モジュール５の装着を制限するように構成されていればよい。また、本発明は種々の変形が可能であり、例えば、着脱可能な無線通信モジュール５及び電源アダプタ６を備えた電子機器にも広く適用することが可能である。
【図面の簡単な説明】
【００２１】
【図１】本発明の一実施形態による画像形成装置の概略構成を示す図。
【図２】同画像形成装置の背面を示す斜視図。
【図３】筐体に装着された状態の電源アダプタ、無線通信モジュール及び着脱制限機構の構成を示す断面図。
【図４】筐体に無線通信モジュールを装着する様子を示した断面図。
【図５】図４に続けて筐体に電源アダプタを装着する様子を示した断面図。
【図６】筐体に電源アダプタを装着した後、無線通信モジュールを装着しようとしている状態を示す断面図。
【符号の説明】
【００２２】
１    画像形成装置
５    無線通信モジュール
６    電源アダプタ
８    筐体
９    着脱制限機構
５３    勘合穴
８１    第１凹部
８２    第２凹部
９１    回動部材
９１ｄ    ロックボス
９２    コイルばね
【図１】
2008213232.tif 000003
【図２】
2008213232.tif 000004
【図３】
2008213232.tif 000005
【図４】
2008213232.tif 000006
【図５】
2008213232.tif 000007
【図６】
2008213232.tif 000008